(57)【特許請求の範囲】
【請求項１】
得られる培地に対して４０容量％以上６０容量％以下となる量の浄水場発生土であって、その含水率が４０％以上６０％以下に調整されており、その構成は、粒径が、開口２ｍｍの篩を通過するものが４０容量％以上６０容量％以下、開口４ｍｍの篩を通過し開口２ｍｍの篩に残るものが４０容量％以上６０容量％以下で構成される浄水場発生土に、ゼオライト、植物質資材、緩効性窒素肥料及び緩効性燐酸肥料を添加して得られる、ペーパーポットまたはセル成形苗に使用するネギ育苗用培地であって、緩効性窒素肥料として肥効期間が１００日以上の被覆尿素系肥料を、得られる培地１リットルあたり窒素成分として６００ｍｇ以上１０００ｍｇ以下となる量、緩効性燐酸肥料を、得られる培地１リットルあたりリン酸として１５００ｍｇ以上４０００ｍｇ以下となる量で添加して得られる、ペーパーポットまたはセル成形苗に使用するネギ育苗用培地。
【請求項２】
浄水場発生土を培地に対して４０容量％以上６０容量％以下、ゼオライトを培地に対して１０容量％以上３０容量％以下、及び植物質資材を培地に対して２０容量％以上６０容量％以下の量で含有する請求項１記載のネギ育苗用培地。
【請求項３】
更にＶＡ菌根菌を添加する請求項１または２記載のネギ育苗用培地。
【請求項４】
含水率が４０％以上６０％以下に調整された浄水場発生土を４ｍｍと２ｍｍで篩別して、粒径が、開口２ｍｍの篩を通過するものが４０容量％以上６０容量％以下、開口４ｍｍの篩を通過し開口２ｍｍの篩に残るものが４０容量％以上６０容量％以下で構成される浄水場発生土を調製し、得られる培地に対して４０容量％以上６０容量％以下となる量の、調製された浄水場発生土に、ゼオライト、植物質資材、更に、緩効性窒素肥料として肥効期間が１００日以上の被覆尿素系肥料を、得られるれる培地１リットルあたり窒素成分として６００ｍｇ以上１０００ｍｇ以下となる量及び緩効性燐酸肥料を、得られる培地１リットルあたりリン酸として１５００ｍｇ以上４０００ｍｇ以上となる量を添加し、更に４ｍｍで篩別することを特徴とする請求項１〜３のいずれかに記載のペーパーポットまたはセル成形苗に使用するネギ育苗用培地の製造法。
【請求項５】
浄水場発生土を４０〜６０容量部、ゼオライトを１０〜３０容量部及び植物資材を２０〜６０容量部を混合し、次いで緩効性窒素肥料を、得られる培地１リットルあたり窒素成分として６００ｍｇ以上１０００ｍｇ以下となる量及び緩効性燐酸肥料を、得られる培地１リットルあたりリン酸として１５００ｍｇ以上４０００ｍｇ以下となる量で添加する請求項４に記載のネギ育苗用培地の製造法。
【発明の詳細な説明】
【０００１】
【発明の属する技術分野】
本発明は、ネギの育苗用培地に関する。更に詳しくはペーパーポット、セル成形苗に使用する培地およびその製造法に関する。
【０００２】
【従来の技術】
ネギの育苗には春播きと秋播きがあり、他の野菜に比べ育苗期間が３ヶ月〜４ヶ月と特に長いのが特徴である。最近は土地利用率向上や作業の軽減化のため、ペーパーポットやセルを使う育苗が行われる場面が多くなり、これに適したネギ育苗用培地が求められている。
またネギの育苗は他の野菜と比べて長期に渡り、更にセルやペーパーポットを用いた場合、苗１株当たりの培地量が制限されているため、肥効を充分に持続させ、保水性を高めることが課題となっている。ネギの培養土に関しては、特開平９−６５７５８号公報に、保水性、透水性を維持しながら、保肥能を高めるためゼオライトを５０重量％〜９０重量％加える方法が記載されている。しかし、この方法に用いられているゼオライトは比較的値段の高い資材であるためコスト面での問題がある。
浄水場発生土及び浄水場発生土の農業利用については、日本土壌肥料学会編（博友社）“浄水処理ケーキ：特性と農業利用上の問題点”に詳細に記載されている。浄水場発生土は産業廃棄物として処分されているが有機性の肥料分を多く含んでいるため、農業、園芸等に多く利用されている。
野菜、花卉などの植物育成培地への浄水場発生土の利用に関しては、植物栽培用培地への利用方法について特開平１０−８８１３７号公報、特開平５−２０７８１６号公報、特開平７−２６４９３３号公報、特開平７−２２２９９７号公報等に各種の方法が記載されてはいるが、セルやペーパーポット等用に粒径を細かく加工したものが無く、また、長期の育苗に適した肥料を添加したものがないため、ネギの特殊な条件に必ずしも適しているとは言えない。ネギ育苗用培地に浄水場発生土を利用するには、素材の均質化と共に、肥効の持続性、保水性を付与することが必要となる。
【０００３】
【発明が解決しようとする課題】
本発明の目的は、浄水場発生土を用い、
▲１▼  肥効の持続性
▲２▼  保水性及び透水性
▲３▼  粒径のバラツキ
が改善されたネギ育苗用培地を提供することにある。
【０００４】
【課題を解決するための手段】
本発明は、得られる培地に対して４０容量％以上６０容量％以下となる量の浄水場発生土に、ゼオライト、植物質資材、緩効性窒素及び燐肥料を添加して得られるネギ育苗用培地に関する。
望ましくは、浄水場発生土は、その含水率が４０％以上６０％以下、望ましくは５０％以上５５％以下に調整されており、その構成は、粒径が、開口２ｍｍの篩を通過するもの（以後、粒径２ｍｍ以下と記載することもある。）が４０容量％以上６０容量％以下、開口４ｍｍの篩を通過し開口２ｍｍの篩に残るもの（以後、粒径２ｍｍ以上４ｍｍ以下と記載することもある。）が４０容量％以上６０容量％以下の割合で構成される。
望ましいネギ育苗用培地の構成は、上記浄水場発生土を培地に対して４０容量％以上６０容量％以下、ゼオライトを培地に対して１０容量％以上３０容量％以下、植物質資材を培地に対して２０容量％以上６０容量％以下の量で含有する構成である。
望ましくは、緩効性窒素肥料は、得られる培地１リットルあたり窒素成分として６００ｍｇ以上１０００ｍｇ以下となる量、緩効性燐酸肥料は、得られる培地１リットルあたりリン酸として１５００ｍｇ以上４０００ｍｇ以下となる量を添加する。緩効性窒素肥料としては、被覆尿素系肥料を用いることが、望ましい。
該被覆尿素系肥料は少なくとも１００日以上の肥効を持ち、特に温度による溶出特性を有するものが良く、粒径は２ｍｍ以下と細かいものが望ましい。
本発明では、さらにＶＡ菌根菌を添加することが望ましい。
本発明のネギ育苗用培地は、望ましくは、浄水場発生土を４ｍｍと２ｍｍで篩別し粒径により割合を調整した後、ゼオライト、植物質資材、緩効性窒素肥料及び緩効性燐肥料を添加し、さらに、４ｍｍで篩別することによって製造される。
また本発明のネギ育苗用培地は、望ましくは、浄水場発生土を４０〜６０容量部、ゼオライトを１０〜３０容量部及び植物資材を２０〜６０容量部を混合し、次いで、緩効性窒素肥料を、得られる培地１リットルあたり窒素成分として６００ｍｇ以上１０００ｍｇ以下となる量及び緩効性燐酸肥料を、得られる培地１リットルあたりリン酸として１５００ｍｇ以上４０００ｍｇ以下となる量で添加することによって製造される。
【０００５】
【発明の実施の形態】
本発明のネギ育苗用培地は浄水場発生土を用いる。本発明で用いる浄水場発生土は上水道又は工業用水の浄水処理過程で発生する沈積泥土（浄水汚泥）を濃縮脱水したものが望ましい。また、本発明で用いる浄水場発生土は無薬注処理法により沈殿処理され、凝集剤としてポリ塩化アルミニウムや硫酸アルミニウムを添加し、加圧法により脱水処理されたものが望ましい。
本発明のネギ育苗用培地として利用するために望ましくは浄水場発生土は、
▲１▼  含水率が４０％以上６０％以下、望ましくは５０％以上５５％以下に調整され、粒径２mm以下が４０容量％以上６０容量％以下、粒径４mm以下が４０容量％以上６０容量以下の構成を有するのが望ましく、
▲２▼  浄水場発生土は、本発明のネギ育苗用培地に対して４０容量％以上６０容量％以下、望ましくは４０容量％以上５０容量％以下含まれる。
【０００６】
本発明では、浄水場発生土に対して、ゼオライトを添加する。ゼオライトは土壌改良材として政令指定された市販のものであればいずれのものでも良いが望ましくはクリノプチロライトが望ましい。ゼオライトは主にアナルサイム、モルデナイト、クリノプチノライトの３種類があり、特にモルデナイトとクリノプチノライトは陽イオン交換容量が高く、交換性陽イオン含量が高くアンモニウムイオンを選択的に吸着する性質を持っており、さらに砂質土壌等保水性の低い土壌において保水性を高める働きがあることから農業用として広く使われている。
本発明で用いるゼオライトは、
▲１▼  農業用として優れた効果を持つクリノプチロライトが最も望ましく、
▲２▼  粒径は４mm以下が望ましく、さらに望ましくは２mm未満が６０容量％以上８０容量％以下、２mm以上４mm以下が２０％以上４０％以下のものであり、
▲３▼  ネギ育苗用培地への添加量は該培地全体に対し１０容量％以上３０容量％以下が望ましく、さらに望ましくは２０容量％以上３０容量％以下である。
【０００７】
本発明では、浄水場発生土に対して、植物質資材を添加する。植物質資材はバーク堆肥、ピートモス、ココピート、籾殻燻炭等の資材のうち単独あるいは複数の資材を添加する。上記植物質資材が撥水性を有する場合、界面活性剤を該培地１立方メートル当たり５０ｍｌから１００ｍｌ添加することが望ましい。界面活性剤は物質間の界面において、低濃度で表面張力の著しい低下を与えるものであり、土壌の水分保持力を向上させる効果がある。界面活性剤としては非イオン界面活性剤が好ましい。
上記植物質資材の粒径は６mm以下が望ましく、４mm以下のものがさらに望ましい。添加量は本発明のネギ育苗用培地に対して２０容量％以上６０容量％以下となる量が望ましく、さらに望ましくは４０容量％以上５０容量％以下となる量である。
【０００８】
本発明では、肥料成分として緩効性窒素肥料及び緩効性燐酸肥料を添加する。緩効性窒素肥料とは速効性窒素肥料より分解が遅く、窒素肥効の持続性を高めることを目的とした肥料であり、尿素とアルデヒド類を低縮合されたものが考えられ、アルデヒド類としてはホルムアルデヒド、アセトアルデヒド、イソブチルアルデヒドが使用される（１９９１，肥料要覧Ｐ１２６：、農林水産省肥料機械課監修）。緩効性窒素肥料としては、被覆系尿素肥料が好ましい。
本発明ではネギが長期の育苗期間を必要とするため、本発明の肥料成分は、少なくとも１００日以上の肥効を持ち、特に温度による溶出特性を有するものが良く、粒径は２mm以下と細かいものが好適である。緩効性窒素肥料の施肥量は窒素成分で培地１リットルあたり６００〜１０００mgとなる量、より望ましくは６００〜８００mgとなる量である。
緩効性燐酸肥料としては、リンスターが好ましい。燐肥料はネギの初期の生長促進に強く影響する。緩効性燐酸肥料の施用量はリン酸として培地１リットルあたり１５００mg〜４０００mgとなる量が望ましい。リン酸は長期の肥効が必要であるから水溶性とク溶性が約５０重量％ずつ程度含まれるものが良い。
【０００９】
本発明では、ＶＡ菌根菌を添加する。ＶＡ菌根菌は藻菌類に属するカビの一種であり、多くの植物にＶＡ菌根を形成する菌であり、ＶＡ菌根菌は土壌中から燐酸やミネラルを吸収して植物体に供給する一方で、植物は菌の生育に必要な炭水化物やアミノ酸などを提供してお互いに共生関係を維持する絶対共生菌である。ＶＡ菌根菌は様々な植物に感染しその植物の生育を促進したり、植物の罹病性を向上させることが一般的に知られている。その効果の一つに土壌中に固定された燐酸を植物に供給することが挙げられる（「農業及び園芸」第６２巻、第８号、Ｐ．９３０−９３７、１９８７年）。ユリ科に属するネギは野菜の中でもＶＡ菌根菌が感染しやすい類とされている。一方、ネギは播種から収穫までの期間が長く、生育促進による育苗期間の短縮化および定植後の生育促進が求められており、特にＶＡ菌根菌の活用が求められている。
本発明で用いるＶＡ菌根菌としては、具体的には、スカテロスポラ（Ｓｃｕｔｅｌｌｏｓｐｏｒａ）属、グロムス（Ｇｌｏｍｕｓ）属、ギガスポラ（Ｇｉｇａｓｐｏｒａ）属、アカウロスポラ（Ａｃａｕｌｏｓｐｏｒａ）属、スクレロシスティス（Ｓｃｌｅｒｏｃｙｓｔｉｓ）属、エントロフォスポラ（Ｅｎｔｒｏｐｈｏｓｐｏｒａ）属等に属するＶＡ菌根菌を例示することができる。上記のＶＡ菌根菌の中でもギガスポラ（Ｇｉｇａｓｐｏｒａ）属に属するＶＡ菌根菌が適している。中でも、グロムス（Ｇｌｏｍｕｓ）属とギガスポラ（Ｇｉｇａｓｐｏｒａ）属に属する微生物が望ましく、特に、グロムス・モセアエ（Ｇｌｏｍｕｓ  ｍｏｓｓｅａｅ）、グロムス・ファシキュレータム（Ｇｌｏｍｕｓ  ｆａｓｃｉｃｕｌａｔｕｍ）、グロムス・カレドニウム（Ｇｌｏｍｕｓ  ｃａｌｅｄｏｎｉｕｍ）とギガスポラ・ラミスポロホラ（Ｇｉｇａｓｐｏｒａ  ｒａｍｉｓｐｏｒｏｐｈｏｒａ）、ギガスポラ・マルガリータ（Ｇｉｇａｓｐｏｒａ  Ｍａｒｇａｒｉｔａ）が望ましい。
これらのＶＡ菌根菌は天然界から収集するほか、栄養薄膜培養法（特開昭５５−１１８３９０号公報）や器官培養した根を使用する方法（特公昭６２−４９０３７号公報）等により培養したものでもよく、また、一般に市販されているものでもよい。また、浄水場発生土を用いてＶＡ菌根菌を培養したもの（特開平９−２５５４６２号公報）を用いてもよい。
一方、ネギは播種から収穫までの期間が長く、生育促進による育苗期間の短縮化および定植後の生育促進が求められており、特にＶＡ菌根菌の活用が有功である。
感染時期については育苗期に行うのが
▲１▼  添加する菌量が少なくても全体に感染する、
▲２▼  本圃での確実な感染が期待できる、
等の理由から最も有効である。
ＶＡ菌根菌の添加量は本発明の培地１リットル当たり胞子が２〜３個以上含まれる量である。また、本発明では有機物を多く含む浄水場発生土を使っているため、ＶＡ菌根菌の感染率を高めることができる。
【００１０】
本発明のネギ育苗用培地は、予め２mm及び４mmで篩別した浄水場発生土に、ゼオライト、植物質資材、緩効性窒素肥料及び緩効性燐酸肥料を添加し、更に４mmで篩別することによって好ましく製造される。
本発明のネギ育苗用培地は有機物を多く含む浄水場発生土、ゼオライト、植物質資材、緩効性窒素肥料及び緩効性燐酸肥料を篩別しネギの育苗に好適な物理・化学性に加工されて得ることができるものであり、特にペーパーポット、セル成形苗に使用するのに好ましい。
【００１１】
【実施例】
次に実施例に基づいて本発明を更に詳細に説明するが、本発明はこれらの実施例によって何等制限されるものではない。
【００１２】
実施例１  篩別方法のデータ
（１）方法
２mm、４mm、６mm以下に篩別した粒径の構成が異なる３種類の浄水場発生土を用いネギ育苗用培地を作成し、市販のペーパーポットに詰める際の作業性及び均一性について評価した。作業性はポットに詰める際にかかる時間と詰め易さを評価したものであり、均一性はポットに詰める際の偏り、およびポット表面に見られる粒径の偏りの度合いを肉眼で評価したものである。
本実施例のネギ育苗用培地の組成は浄水場発生土５０容量％、バーク堆肥１０容量％、ピートモス２５容量％、ゼオライト１５容量％とした。
（２）結果
結果は表１に示した。
【００１３】
【表１】
0004215880.tif 000002
【００１４】
表１より本発明のネギ育苗用培地は粒径が４mm以下の浄水場発生土を用いた場合が作業性、均一性および育苗期の生育が良く、４mm〜６mmでは全体のネギ育苗用培地量に対し５０容量％混合が育苗期のネギ生体重が高いものの、作業性、均一性ともに評価が低かった。
浄水場発生土の粒径別組成については２mm未満が４０容量％以上、２mm以上４mm以下が６０容量％以下で作業性、均一性が良く、粒径が２mm未満が５０容量％以上７５容量％以下、及び２mm以上４mm以下が２５容量％以上５０容量％以下の粒径で生育が最も良かった。
上記の結果から浄水場発生土を用いたネギ育苗用培地には浄水場発生土の粒径が２mm未満が４０容量％以上６０容量％以下、２mm以上４mm以下が４０容量％以上６０容量％以下である組成が最も有効であることがわかる。
【００１５】
実施例２  窒素肥料比較に関する試験
（１）方法
本実施例では肥効日数の異なる肥効調節型緩効性窒素肥料Ａ、Ｂ、Ｃ、Ｄの４種類を用い、さらに対照区としてＣＤＵ、ＩＢ窒素（尿素とイソブチルアルデヒドからなり加水分解によって窒素が溶出する特性を持つ。）及び硝安を加え計７処理区でネギの生育試験を行い、育苗条件に好適な窒素肥料の種類を検討した。培地としては、表２に示す組成の培地を用いた。
【００１６】
【表２】
0004215880.tif 000003
【００１７】
（２）結果
結果は表３に示した。
【００１８】
【表３】
0004215880.tif 000004
【００１９】
表３より、緩効性窒素肥料がネギの生育に適しており、特に肥効日数が１００日以上のものが望ましいことがわかる。
【００２０】
実施例３  窒素及び燐酸肥料添加量の比較試験
（１）方法
窒素肥料添加量に関する試験について、窒素肥料は実施例２の緩効性窒素肥料Ｃを用い、個々の処理区の窒素施用量相当を添加した。対照区は窒素含有量が７２０ｍｇ／リットル、燐酸が１６００ｍｇ／リットルである。燐酸肥料は緩効性燐酸肥料（リンスター）を用い、個々の処理区の燐酸施用量相当を添加した。リンスターはリン酸が３０％含まれる。
培地としては、表４に示す組成の培地を用いた。
【００２１】
【表４】
0004215880.tif 000005
【００２２】
（２）結果
結果は表５及び表６に示した。
【００２３】
【表５】
0004215880.tif 000006
【００２４】
【表６】
0004215880.tif 000007
【００２５】
本試験の結果より窒素肥料の施用量は窒素成分で培地１リットルあたり６００〜１０００mg、望ましくは６００〜８００mgが望ましい。また燐酸肥料はリン酸で培地１リットルあたり１５００mg以上４０００mg以下が望ましいことがわかる。
【００２６】
実施例４  ＶＡ菌根菌に関する試験
（１）方法
実施例４では本発明の培地を市販培地Ａ、Ｂ、Ｃと比較すると共に、ＶＡ菌根菌の添加効果について調査した。供試したＶＡ菌根菌はギガスポラ属のマルガリータ種とした。実施した本発明の培地の組成は浄水場発生土５０％、ゼオライト１５％、バーク堆肥１０％、ピートモス２５％を混合したものとした。
培地としては、表４に示す組成の培地を用いた。
（２）結果
結果は表７に示した。
【００２７】
【表７】
0004215880.tif 000008
市販培地Ａ：主成分  ピートモス、ゼオライト、バーミキュライト、パーライト肥料分  窒素（Ｎ）５６０mg／l   燐酸（Ｐ2 ０5 ）１３００mg／            l   カリ（Ｋ）５１０mg／l
市販培地Ｂ：主成分  粒状焼成土
肥料分  窒素（Ｎ）４００mg／l   燐酸（Ｐ2 ０5 ）１９００mg／            l   カリ（Ｋ）６００mg／l
市販培地Ｃ  主成分  赤土、ピートモス、バーク堆肥、ゼオライト
肥料分  窒素（Ｎ）５００mg／l   燐酸（Ｐ2 ０5 ）１０００mg／            l   カリ（Ｋ）４００mg／l
【００２８】
【発明の効果】
以上の結果から判るように、本発明の培地は市販培地に比べ、ネギの育苗期、定植後の生育が高まり、本発明の培地がネギの生育にとって適切であった。
また、本発明の培地はネギに対するＶＡ菌根菌の感染率を高め、定植後の生育も効率的に高める。